(57)【特許請求の範囲】
【請求項１】
コンテンツの著作権の権利内容を記憶している著作権情報データベースに基づいて、入力コンテンツに著作権情報を電子透かしとして埋め込む著作権情報埋め込み装置であって、
前記著作権情報データベースに基づいて、前記入力コンテンツに対応する前記著作権の権利内容を個々に識別するインデックス情報、及び前記著作権の権利を取得しているかどうかを示す権利取得情報を生成する著作権情報生成手段と、
前記インデックス情報を不可視電子透かしとして前記入力コンテンツに埋め込むとともに、前記権利取得情報が前記著作権の権利を取得していない旨を示す場合に、前記権利取得情報を可視電子透かしとして前記入力コンテンツに埋め込む電子透かし埋め込み手段と、
を備えていることを特徴とする著作権情報埋め込み装置。
【請求項２】
コンテンツの著作権の権利内容を記憶している著作権情報データベースに基づいて、入力コンテンツに著作権情報を電子透かしとして埋め込むためにコンピュータを、
前記著作権情報データベースに基づいて、前記入力コンテンツに対応する前記著作権の権利内容を個々に識別するインデックス情報、及び前記著作権の権利を取得しているかどうかを示す権利取得情報を生成する著作権情報生成手段、
前記インデックス情報を不可視電子透かしとして前記入力コンテンツに埋め込むとともに、前記権利取得情報が前記著作権の権利を取得していない旨を示す場合に、前記権利取得情報を可視電子透かしとして前記入力コンテンツに埋め込む電子透かし埋め込み手段、
として機能させることを特徴とする著作権情報埋め込みプログラム。
【発明の詳細な説明】
【０００１】
【発明の属する技術分野】
本発明は、コンテンツの著作権管理技術に関し、特に、コンテンツに著作権情報を電子透かしとして埋め込むことで、コンテンツの管理を行なう著作権情報埋め込み装置及びそのプログラム、著作権情報表示装置及びそのプログラム、著作権情報除去装置及びそのプログラム、並びに著作権情報管理システムに関する。
【０００２】
【従来の技術】
一般に、放送局やポスト・プロダクション（番組制作を行なう制作会社が企画、撮影した素材を元に、映像・音声コンテンツの加工・処理を行なうプロダクション）における番組制作の過程において、番組制作者は、番組に用いるコンテンツの著作権情報を調査して、必要に応じてライセンスを取得する等の権利取得作業を行なわなければならない。
従来、番組制作者は、コンテンツの著作権情報を格納した著作権情報データベースが存在する場合には、パーソナルコンピュータ等を用いて、前記著作権情報データベースから、当該コンテンツの著作権情報を検索して、その結果に基づいて、権利取得作業を行なっていた。また、前記著作権情報が存在しない場合には、番組制作者は当該コンテンツの著作権情報を自分で調査して権利取得を行なっていた。
【０００３】
【発明が解決しようとする課題】
しかし、前記従来の技術では、番組制作に使用するコンテンツの数が多くなると、番組制作者が各々のコンテンツについて個別に著作権情報を検索しなければならず、多大な労力を必要とするという問題点があった。また、実際のコンテンツと、著作権情報が直接リンクしているわけではないので、番組制作者が、まだ権利取得作業を行なっていないコンテンツを、誤って放送用の素材として番組に使用する危険性があるという問題点があった。
【０００４】
本発明は、以上のような問題点に鑑みてなされたものであり、コンテンツの著作権管理において、コンテンツと、それに対応する著作権情報を一元管理して、番組制作者が容易にコンテンツの著作権情報を把握でき、さらに、著作権の権利取得作業を行なっていないコンテンツを、誤って放送用の素材として番組に使用する危険性をなくすことができる著作権情報埋め込み装置及びそのプログラムを提供することを目的とする。
【０００５】
【課題を解決するための手段】
本発明は、前記目的を達成するために創案されたものであり、まず、請求項１に記載の著作権情報埋め込み装置は、以下の構成にかかるものとした。
すなわち、コンテンツの著作権の権利内容を記憶している著作権情報データベースに基づいて、入力コンテンツに対応する前記著作権の権利内容を個々に識別するインデックス情報、及び前記著作権の権利を取得しているかどうかを示す権利取得情報を生成する著作権情報生成手段と、前記インデックス情報を不可視電子透かしとして前記入力コンテンツに埋め込むとともに、前記権利取得情報が前記著作権の権利を取得していない旨を示す場合に、前記権利取得情報を可視電子透かしとして前記入力コンテンツに埋め込む電子透かし埋め込み手段と、を備える構成とした。
【０００６】
かかる構成によれば、著作権情報埋め込み装置は、著作権情報生成手段によって、コンテンツの著作権の権利内容を記憶している著作権情報データベースに基づいて、入力コンテンツに対応する前記著作権の権利内容を個々に識別するためのインデックス情報、及び前記著作権の権利を取得しているかどうかを示す権利取得情報を生成することができる。そして、著作権情報埋め込み装置は、電子透かし埋め込み手段によって、前記生成されたインデックス情報を不可視電子透かしとして、また権利取得情報を可視電子透かしとして、それぞれ前記入力コンテンツに埋め込むことができる。
【０００７】
また、請求項２に記載の著作権情報埋め込みプログラムは、コンテンツの著作権の権利内容を記憶している著作権情報データベースに基づいて、入力コンテンツに著作権情報を電子透かしとして埋め込むためにコンピュータを、以下の手段として機能させるように構成した。
【０００８】
すなわち、前記著作権情報データベースに基づいて、入力コンテンツに対応する前記著作権の権利内容を個々に識別するインデックス情報、及び著作権の権利を取得しているかどうかを示す権利取得情報を生成する著作権情報生成手段、前記インデックス情報を不可視電子透かしとして前記入力コンテンツに埋め込むとともに、前記権利取得情報が前記著作権の権利を取得していない旨を示す場合に、前記権利取得情報を可視電子透かしとして前記入力コンテンツに埋め込む電子透かし埋め込み手段とした。
【０００９】
かかる構成によれば、著作権情報埋め込みプログラムは、著作権情報生成手段によって、コンテンツの著作権の権利内容を記憶している著作権情報データベースに基づいて、入力コンテンツに対応する前記著作権の権利内容を個々に識別するインデックス情報、及び前記著作権の権利を取得しているかどうかを示す権利取得情報を生成することができる。そして、著作権情報埋め込みプログラムは、電子透かし埋め込み手段によって、前記生成されたインデックス情報を不可視電子透かしとして、また権利取得情報を可視電子透かしとして、それぞれ前記入力コンテンツに埋め込むことができる。
【００２２】
【発明の実施の形態】
以下、本発明の実施の形態を図面に基づいて詳細に説明する。
（第一の実施の形態：著作権情報埋め込み装置の構成）
図１は、本発明における第一の実施の形態である著作権情報埋め込み装置の全体構成を示すブロック図である。図１に示すように、著作権情報埋め込み装置１０は、著作権情報生成手段１１と、不可視電子透かし埋め込み部１２ａ及び可視電子透かし埋め込み部１２ｂを備えた電子透かし埋め込み手段１２とを含む構成とした。さらに外部に著作権情報データベース１を備える構成とした。この著作権情報埋め込み装置１０は、入力コンテンツに著作権情報を電子透かしとして埋め込んだ、著作権情報埋め込みコンテンツを生成する装置である。
【００２３】
著作権情報データベース１は、コンテンツ毎に、そのコンテンツの著作権を個々に識別するための著作権識別番号と、当該著作権の権利内容情報とを対応付けて記憶しているデータベースである。
ここで、図８に基づいて、著作権情報データベース１の内容について説明する。図８は、著作権情報データベース１の内容の一例を示した図である。この著作権情報データベース１は、コンテンツＩＤ（１ａ）毎に、権利内容情報（著作権識別番号１ｂ、所有者名１ｃ、取得ライセンス数１ｄ）を対応付けている。
【００２４】
このコンテンツＩＤ（１ａ）は、コンテンツを特定するための識別子であり、コンテンツの名称やＵＲＬ（Uniform Resource Locators）を使用しても構わない。また、著作権識別番号１ｂは、コンテンツの著作権を個々に識別するための番号である。また、所有者名１ｃは、前記著作権を所有している所有者名を表わしている。また、取得ライセンス数１ｄは、所有者名１ｃに記述されている所有者から取得した著作権使用ライセンスの数を表わしている。この取得ライセンス数１ｄが「０」の場合は、このコンテンツを使用する権利を取得していないことを表わしている。図８に示すように、１つのコンテンツには複数の著作権が存在する場合がある。
【００２５】
図１に戻って、著作権情報埋め込み装置１０の各構成手段について説明を続ける。
著作権情報生成手段１１は、キーボード等の入力手段（図示せず）から入力されたコンテンツＩＤに基づいて、著作権情報データベース１の著作権の権利内容を参照し、前記コンテンツＩＤに対応する入力コンテンツの著作権を個々に識別するインデックス情報、及び前記コンテンツの著作権の権利を取得しているかどうかを示す権利取得情報を生成するものである。このインデックス情報は、電子透かし埋め込み手段１２内の不可視電子透かし埋め込み部１２ａに通知され、権利取得情報は、電子透かし埋め込み手段１２内の可視電子透かし埋め込み部１２ｂに通知される。
【００２６】
電子透かし埋め込み手段１２は、不可視電子透かし埋め込み部１２ａと、可視電子透かし埋め込み部１２ｂとを備えて構成されている。
不可視電子透かし埋め込み部１２ａは、コンテンツを蓄積した外部の映像・音声アーカイブ（図示せず）等から入力した入力コンテンツに、著作権情報生成手段１１で生成されたインデックス情報を、視覚することができない不可視電子透かしとして埋め込んだ不可視電子透かし埋め込みコンテンツを生成するものである。この不可視電子透かし埋め込みコンテンツは、可視電子透かし埋め込み部１２ｂに送出される。
【００２７】
可視電子透かし埋め込み部１２ｂは、不可視電子透かし埋め込み部１２ａで生成された不可視電子透かし埋め込みコンテンツに、著作権情報生成手段１１で生成された権利取得情報を、可視電子透かしとして埋め込むことにより、著作権情報埋め込みコンテンツを生成するものである。この著作権情報埋め込みコンテンツが、著作権情報埋め込み装置１０から出力される。
【００２８】
以上、一実施形態に基づいて本発明に係る著作権情報埋め込み装置１０の構成について説明したが、本発明はこれに限定されるものではない。例えば、著作権情報埋め込み装置１０は、不可視電子透かし埋め込み部１２ａによって、入力コンテンツにインデックス情報を埋め込んだ不可視電子透かし埋め込みコンテンツに、可視電子透かし埋め込み部１２ｂによって、権利取得情報を埋め込む構成としたが、この構成は逆の構成であっても構わない。
【００２９】
この場合、著作権情報埋め込み装置１０は、まず、可視電子透かし埋め込み部１２ｂによって、入力コンテンツに権利取得情報を可視電子透かしとして埋め込んだ可視電子透かし埋め込みコンテンツを生成し、次に、不可視電子透かし埋め込み部１２ａによって、この可視電子透かし埋め込みコンテンツにインデックス情報を埋め込んだ著作権情報埋め込みコンテンツとして生成する。
【００３０】
また、著作権情報埋め込み装置１０は、コンピュータにおいて、著作権情報生成手段１１及び電子透かし埋め込み手段１２の各機能をプログラムで実現することも可能である。
【００３１】
（著作権情報埋め込み装置の動作）
次に、図１、図５及び図８を参照して、本実施の形態に係る著作権情報埋め込み装置１０の動作について説明する。図５は著作権情報埋め込み装置１０の動作を説明するためのフローチャートである。
【００３２】
まず、著作権情報生成手段１１が、キーボード等の入力手段（図示せず）から入力されたコンテンツＩＤを検索キーとして、著作権情報データベース１の権利内容を検索し、著作権識別番号１ｂと、取得ライセンス数１ｄとを取得する（ステップａ１）。そして、著作権識別番号１ｂからインデックス情報を生成する（ここでは、著作権識別番号１ｂ＝インデックス情報）（ステップａ２）。また、取得ライセンス数１ｄに基づいて、コンテンツを使用する権利を取得しているかどうかを判定し、その判定結果を、権利取得情報として生成する（ステップａ３）。
【００３３】
例えば、インデックス情報には、著作権識別番号１ｂの数値データである「００１」、「００２」、「００３」等を使用し、また、権利取得情報には、コンテンツを使用する権利を取得しているかどうかを表わす２値の数値（「０」：権利未取得、「１」：権利取得済）を使用する。
【００３４】
次に、不可視電子透かし埋め込み部１２ａが、コンテンツを蓄積した外部の映像・音声アーカイブ（図示せず）等から入力した前記コンテンツＩＤに対応した入力コンテンツに、著作権情報生成手段１１で生成されたインデックス情報を、視覚することができない不可視電子透かしとして埋め込むことにより、不可視電子透かし埋め込みコンテンツを生成する（ステップａ４）。
【００３５】
この不可視電子透かし埋め込み部１２ａは、例えば、入力したコンテンツの動画像信号を離散コサイン変換（ＤＣＴ：Discrete Cosine Transform）して、周波数成分に変換し、特定の周波数成分に前記インデックス情報を透かし情報として埋め込んだ後で、逆離散コサイン変換を行なうことで不可視電子透かし埋め込みコンテンツを生成する。
【００３６】
なお、コンテンツに不可視電子透かしを埋め込む手法は、すでに公知の技術で実現することができる(参考：大西，松井，"多重解像度解析とＰＮ系列を利用した電子透かし法,"電子情報通信学会論文誌D-II,Vol.J80-D-II,No.11,pp.3020-3028(1997))。
【００３７】
そして、可視電子透かし埋め込み部１２ｂが、不可視電子透かし埋め込み部１２ａで生成された不可視電子透かし埋め込みコンテンツに、著作権情報生成手段１１で生成された権利取得情報を、可視電子透かしとして埋め込むことにより、著作権情報埋め込みコンテンツを生成する（ステップａ５）。
【００３８】
この可視電子透かし埋め込み部１２ｂは、権利取得情報を可視できる情報として、前記不可視電子透かし埋め込みコンテンツに埋め込むには、例えば、権利取得情報が「０」（権利未取得）のときは、コンテンツを使用する権利を取得していない旨を示すメッセージを可視電子透かしとして埋め込み、権利取得情報が「１」（権利取得済）のときは、可視電子透かしの埋め込みを行なわないようにする。ここで、前記メッセージである文字領域に権利取得情報（例えば「０」）を埋め込んで、画素値の変化量を大きくさせることで、メッセージを浮かび上がらせることができる。また、番組制作者がコンテンツを使用する権利を取得していない状態で、前記コンテンツを番組に使用しないようにするために、メッセージの埋め込み以外にも、コンテンツの品質を「劣化」させるため、画面全体にモザイク状の埋め込みを行なうこともできる。
【００３９】
なお、コンテンツに可視電子透かしを埋め込むには、種々の方法があるが、例えば、特開２０００−２１６９８２号公報「画像処理システム及び記録媒体」に開示された手法を用いる。
この手法によれば、原画像に対して色空間変換を行ない、輝度プレーンとその他のプレーンとに分け、分離された輝度プレーンの特定領域における各画素値のビットに対し、例えば、上位ビットから下位ビットへシフト処理を行ない、最上位ビットを可視電子透かしとしてのビット値に置き換える。そして、色空間の逆変換を行なう。これにより、可視電子透かしが埋め込まれた画像が得られる。
【００４０】
ここで、図１及び図９に基づいて、不可視電子透かし及び可視電子透かしについて説明する。図９は、不可視電子透かし及び可視電子透かしを視覚的に説明するための説明図である。
【００４１】
図９（１）は、電子透かしが埋め込まれていない入力コンテンツの内容を表わしている。図９（２）は、図９（１）のコンテンツに、不可視電子透かし埋め込み部１２ａによって、インデックス情報４ａを不可視電子透かしとして埋め込んだ不可視電子透かしコンテンツの内容を表わしている。なお、ここで埋め込まれたインデックス情報４ａは説明上表示しているが、実際には視覚することができない。また、図９（３）は、図９（２）の不可視電子透かしコンテンツに、可視電子透かし埋め込み部１２ｂによって、権利取得情報４ｂを可視電子透かしとして埋め込んだ著作権情報埋め込みコンテンツの内容をメッセージとして表わしている。この権利取得情報４ｂによって、この著作権情報埋め込みコンテンツの著作権の権利を取得しているかどうかを視覚的に判断することが可能になる。
【００４２】
以上、説明したように、本発明に係る著作権情報埋め込み装置１０は、著作権情報データベース１で管理された著作権情報に基づいて、コンテンツを管理することができるので、番組制作者が各々のコンテンツについて個別に著作権情報を検索する必要がなくなる。また、著作権情報埋め込み装置１０で生成された著作権情報埋め込みコンテンツは、そのコンテンツを使用する権利を取得しているかどうかを、可視電子透かしによって視覚的に判断することができると同時に、可視電子透かしを埋め込むことで、元のコンテンツの品質を劣化させ、番組制作者が当該コンテンツをそのまま番組に使用できないようにすることができる。
【００４３】
（第二の実施の形態：著作権情報表示装置の構成）
図２は、本発明における第二の実施の形態である著作権情報表示装置の全体構成を示すブロック図である。図２に示すように、著作権情報表示装置２０は、不可視電子透かし検出手段２１と、権利内容検出手段２２と、権利内容出力手段２３と、入出力切り替え手段２４とを含む構成とした。さらに外部に著作権情報データベース１を備える構成とした。この著作権情報表示装置２０は、著作権情報埋め込み装置１０（図１参照）で生成された、著作権情報埋め込みコンテンツを入力として、その著作権情報埋め込みコンテンツの著作権の権利内容を表示データとして出力する装置である。さらに、著作権情報表示装置２０は、入力された著作権情報埋め込みコンテンツが、著作権情報埋め込み装置１０で生成されたものであるときのみ、その著作権情報埋め込みコンテンツを外部に出力する機能を有する装置である。
【００４４】
図２及び図８に基づいて、著作権情報表示装置２０の各構成手段について説明する。
著作権情報データベース１は、コンテンツ毎に、そのコンテンツの著作権の権利内容情報を対応付けて記憶しているデータベースである。なお、この著作権情報データベース１は、図１において使用したデータベースと同一のデータベースである。また、その内容は図８で説明した内容と同一であるので説明は省略する。
【００４５】
不可視電子透かし検出手段２１は、入力された著作権情報埋め込みコンテンツから、不可視電子透かしとして埋め込まれた、コンテンツの著作権を個々に識別するインデックス情報を検出するものである。ここで検出されたインデックス情報は検出結果として、権利内容検出手段２２に通知される。なお、この不可視電子透かし検出手段２１は、不可視電子透かしの有無とその内容を解析し、不可視電子透かしが検出されない場合、あるいは、不可視電子透かしが検出されても、不正なデータである（インデックス情報の形式をとっていない）場合は、その旨を数値化したデータを検出結果として権利内容検出手段２２に通知する。例えば、不可視電子透かしが検出されない場合は「０００」、インデックス情報が不正な場合は「９９９」等を権利内容検出手段２２に通知する。
【００４６】
権利内容検出手段２２は、不可視電子透かし検出手段２１から通知された検出結果に基づいて、この検出結果がインデックス情報（著作権識別番号１ｂ）である場合は、著作権情報データベース１を検索し、著作権識別番号１ｂに対応する著作権を所有している所有者名１ｃや、著作権の使用ライセンスの取得数（取得ライセンス数１ｄ）を権利内容として権利内容出力手段２３へ通知するものである。
【００４７】
なお、権利内容検出手段２２は、前記検出結果が、電子透かし未検出の場合（「０００」）や、インデックス情報不正の場合（「９９９」）は、入出力切り替え手段２４に、入出力切り替え情報「ｏｆｆ」を通知し、それ以外の場合は、「ｏｎ」を通知する。
【００４８】
権利内容出力手段２３は、権利内容検出手段２２から通知された権利内容を表示データとして出力するものである。この表示データは、外部に接続されたＣＲＴや液晶ディスプレイ等の表示装置（図示せず）によって、画面上に表示される。
【００４９】
入出力切り替え手段２４は、権利内容検出手段２２から通知される入出力切り替え情報に基づいて、入力された著作権情報埋め込みコンテンツを出力するかどうかを切り替えるものである。この入出力切り替え手段２４は、前記入出力切り替え情報が、「ｏｎ」の場合は、入力された著作権情報埋め込みコンテンツをそのまま外部に出力し、「ｏｆｆ」の場合は、出力を行なわない。
【００５０】
なお、著作権情報表示装置２０は、コンピュータにおいて、不可視電子透かし検出手段２１、権利内容検出手段２２、権利内容出力手段２３及び入出力切り替え手段２４の各機能をプログラムで実現することも可能である。
【００５１】
（著作権情報表示装置の動作）
次に、図２、図６及び図８を参照して、本実施の形態に係る著作権情報表示装置２０の動作について説明する。図６は著作権情報表示装置２０の動作を説明するためのフローチャートである。
【００５２】
まず、不可視電子透かし検出手段２１が、外部から入力された著作権情報埋め込みコンテンツに、不可視電子透かしが埋め込まれているかどうかを判定する（ステップｂ１）。ここで不可視電子透かしが埋め込まれていない場合（Ｎｏ）は、検出結果を「０００：電子透かし未検出」として（ステップｂ２）、ステップｂ６へ進む。一方、不可視電子透かしが埋め込まれている場合（Ｙｅｓ）は、その内容を判定し（ステップｂ３）、不可視電子透かしがインデックス情報でない場合（Ｎｇ）は、検出結果を「９９９：インデックス情報不正」とし（ステップｂ４）、ステップｂ６へ進む。また、不可視電子透かしがインデックス情報である場合（Ｏｋ）は、検出結果を「ＸＸＸ：インデックス情報」とし（ステップｂ５）、ステップｂ６へ進む。
【００５３】
次に、権利内容検出手段２２が、前記検出結果を判定し（ステップｂ６）、この検出結果が、「電子透かし未検出」または「インデックス情報不正」の場合は、エラーメッセージの表示データを生成し出力する（ステップｂ７）。そして、入出力切り替え手段２４が、入力された著作権情報埋め込みコンテンツを外部に出力しないように、入出力を切り離し（ステップｂ８）、動作を終了する。
【００５４】
一方、不可視検出結果が、「インデックス情報」の場合は、このインデックス情報（著作権識別番号１ｂ）に基づいて著作権情報データベース１を検索し、著作権を所有している所有者名１ｃや、著作権の使用ライセンスの取得数（取得ライセンス数１ｄ）等の権利内容を表示データとして生成し出力する（ステップｂ９）。そして、入出力切り替え手段２４が、入力された著作権情報埋め込みコンテンツを外部に出力するように、入出力を連結して（ステップｂ１０）、動作を終了する。
【００５５】
以上、説明したように、本発明に係る著作権情報表示装置２０は、入力されたコンテンツが、著作権情報埋め込み装置１０で生成された著作権情報埋め込みコンテンツであるかどうかを判定することができ、その著作権取得情報を視覚的に確認することができる。また、入力されたコンテンツが、著作権情報埋め込み装置１０で生成された著作権情報埋め込みコンテンツでない場合は、そのコンテンツを出力しないので、著作権情報表示装置２０から出力されるコンテンツを使用することで、著作権の権利を取得していないコンテンツの使用を排除することができる。
【００５６】
（第三の実施の形態：著作権情報除去装置の構成）
図３は、本発明における第三の実施の形態である著作権情報除去装置の全体構成を示すブロック図である。図３に示すように、著作権情報除去装置３０は、可視電子透かし検出手段３１と、権利情報制御手段３２と、未処理権利内容出力手段３３と、除去切り替え手段３４と、可視電子透かし除去手段３５とを含む構成とした。さらに外部に著作権情報データベース１を備える構成とした。この著作権情報除去装置３０は、著作権情報埋め込み装置１０（図１参照）で生成された、または、著作権情報表示装置２０から出力された、著作権情報埋め込みコンテンツから、可視電子透かしを除去した著作権の権利取得を完了した権利取得コンテンツを生成する装置である。さらに、著作権情報除去装置３０は、前記著作権情報埋め込みコンテンツが著作権の権利取得がなされていない場合は、権利取得がなされていない著作権の未処理権利内容を表示データとして出力する装置である。
【００５７】
図３及び図８に基づいて、著作権情報除去装置３０の各構成手段について説明する。
著作権情報データベース１は、コンテンツ毎に、そのコンテンツの著作権の権利内容情報を対応付けて記憶しているデータベースである。なお、この著作権情報データベース１は、図１において使用したデータベースと同一のデータベースである。また、その内容は図８で説明した内容と同一であるので説明は省略する。
【００５８】
可視電子透かし検出手段３１は、入力された著作権情報埋め込みコンテンツから、その著作権情報埋め込みコンテンツが、著作権の権利取得が行なわれているかどうかを検出するものである。可視電子透かし検出手段３１は、著作権の権利が未取得の場合に埋め込まれているメッセージの文字領域の画素値より、文字領域に埋め込まれたビットデータを検出することで、前記著作権情報埋め込みコンテンツが著作権の権利が取得されているかどうかを判定し、その権利取得の有無を検出結果として、権利情報制御手段３２に通知する。この検出結果は、例えば、著作権の権利が取得されている場合（権利処理済）は「１」、取得されていない場合（権利未処理）は「０」とする。
【００５９】
権利情報制御手段３２は、可視電子透かし検出手段３１から通知された検出結果に基づいて、権利取得がなされていない未処理権利内容を未処理権利内容出力手段３３に通知したり、除去切り替え手段３４に除去切り替え情報を通知したりするものである。
【００６０】
この権利情報制御手段３２は、前記検出結果が権利処理済（「１」）の場合は、除去切り替え手段３４に、除去切り替え情報「ｏｎ」を通知し、それ以外は「ｏｆｆ」を通知する。
【００６１】
また、権利情報制御手段３２は、前記検出結果が権利未処理（「０」）の場合は、著作権情報データベース１で権利未処理の権利内容情報を検索し（取得ライセンス数１ｄが「０」のもの）、その著作権を所有している所有者名１ｃや、著作権の使用ライセンスの取得数（取得ライセンス数１ｄ）等を未処理権利内容として、未処理権利内容出力手段３３へ通知する。
【００６２】
未処理権利内容出力手段３３は、権利情報制御手段３２から通知された未処理権利内容を表示データとして出力するものである。この表示データは、外部に接続されたＣＲＴや液晶ディスプレイ等の表示装置（図示せず）によって、画面上に表示される。
【００６３】
除去切り替え手段３４は、権利情報制御手段３２から通知される除去切り替え情報に基づいて、外部から入力される著作権情報埋め込みコンテンツを、可視電子透かし除去手段３５へ出力するかどうかを切り替えるものである。
【００６４】
この除去切り替え手段３４は、権利情報制御手段３２から通知される除去切り替え情報が「ｏｎ」の場合は、著作権情報埋め込みコンテンツを可視電子透かし除去手段３５へ出力する。また、除去切り替え情報が「ｏｆｆ」の場合は、著作権情報埋め込みコンテンツを可視電子透かし除去手段３５へ出力しない。
【００６５】
可視電子透かし除去手段３５は、除去切り替え手段３４から入力される著作権情報埋め込みコンテンツから、可視電子透かしを除去した、コンテンツを生成するものである。なお、著作権情報埋め込みコンテンツから、可視電子透かしを除去する手法は、前記したコンテンツに可視電子透かしを埋め込む手法の逆の手順を実行することで、可視電子透かしを除去することができる。
【００６６】
なお、著作権情報除去装置３０は、コンピュータにおいて、可視電子透かし検出手段３１、権利情報制御手段３２、未処理権利内容出力手段３３、除去切り替え手段３４及び可視電子透かし除去手段３５の各機能をプログラムで実現することも可能である。
【００６７】
（著作権情報除去装置の動作）
次に、図３、図７及び図８を参照して、本実施の形態に係る著作権情報除去装置３０の動作について説明する。図７は著作権情報除去装置３０の動作を説明するためのフローチャートである。
【００６８】
まず、可視電子透かし検出手段３１が、外部から入力された著作権情報埋め込みコンテンツから可視電子透かしを検出し（ステップｃ１）、その可視電子透かしの内容に基づいて、著作権の権利取得が行なわれているかどうかを判定する（ステップｃ２）。ここで、権利取得が行なわれている場合（権利処理済）は、検出結果を「１：権利処理済」とし（ステップｃ３）、権利取得が行なわれていない場合は、検出結果を「０：権利未処理」とする（ステップｃ４）。
【００６９】
次に、権利情報制御手段３２が、前記検出結果を判定し（ステップｃ５）、この検出結果が、「権利処理済」の場合は、除去切り替え情報を「ｏｎ」とし（ステップｃ６）、ステップｃ９へ進む。
一方、検出結果が、「権利未処理」の場合は、除去切り替え情報を「ｏｆｆ」とする（ステップｃ７）。そして、著作権情報データベース１で権利未処理の権利内容情報を検索し、その著作権を所有している所有者名１ｃや、著作権の使用ライセンスの取得数（取得ライセンス数１ｄ）等を表示データとして生成し出力する（ステップｃ８）。
【００７０】
そして、除去切り替え情報を判定し（ステップｃ９）、「ｏｎ」の場合は、著作権情報埋め込みコンテンツから可視電子透かしを除去し、生成された権利取得コンテンツを出力し（ステップｃ１０）、動作を終了する。一方、「ｏｆｆ」の場合は、そのまま動作を終了する。
【００７１】
以上、説明したように、本発明に係る著作権情報除去装置３０は、著作権情報埋め込み装置１０で生成された、または、著作権情報表示装置２０から出力された、著作権情報埋め込みコンテンツから、著作権の権利取得情報に基づいて、前記著作権情報埋め込みコンテンツに埋め込まれている可視電子透かしを除去することができる。これによって、この著作権情報除去装置３０で生成されるコンテンツは、著作権の権利取得を完了したコンテンツとして、放送用の素材として番組に使用することができる。
また、著作権の権利取得を完了していない場合は、著作権の権利未処理情報を画面上で確認することができるので、著作権の権利を取得しているかどうかを容易に把握することができる。
【００７２】
（第四の実施の形態：著作権情報管理システムの構成）
図４は、本発明における第四の実施の形態である著作権情報管理システムの全体構成を示すブロック図である。図４に示すように、著作権情報管理システム４０は、著作権情報データベース１と、コンテンツ蓄積手段２と、著作権情報埋め込みコンテンツ蓄積手段３と、著作権情報埋め込み装置１０と、著作権情報表示装置２０と、著作権情報除去装置３０とを備えて構成されている。
【００７３】
この著作権情報管理システム４０は、コンテンツ蓄積手段２に蓄積されているコンテンツの著作権を著作権情報データベース１で一元管理し、著作権の権利取得を完了しているコンテンツのみを、権利取得コンテンツとして出力して、使用することができるシステムである。
【００７４】
著作権情報埋め込み装置１０、著作権情報表示装置２０及び著作権情報除去装置３０は、図１、図２及び図３で説明した各装置と同じものであるため、その内部構成及び動作については説明を省略する。また、著作権情報データベース１も図８で説明した内容と同一のものであるので説明を省略する。
【００７５】
コンテンツ蓄積手段２は、映像・音声等のコンテンツを蓄積した蓄積装置で、従来の放送番組に使用されるコンテンツが蓄積されている。
著作権情報埋め込みコンテンツ蓄積手段３は、著作権情報埋め込み装置１０で生成される著作権情報埋め込みコンテンツを蓄積する蓄積装置である。
【００７６】
この著作権情報管理システム４０は、まず、著作権情報埋め込み装置１０によって、コンテンツ蓄積手段２のコンテンツに、著作権情報データベース１で対応付けられている著作権情報を電子透かしとして埋め込んで、著作権情報埋め込みコンテンツ蓄積手段３に蓄積する。
【００７７】
そして、著作権情報管理システム４０は、この著作権情報埋め込みコンテンツ蓄積手段３に蓄積してある著作権情報埋め込みコンテンツを、著作権情報表示装置２０によって、著作権の権利状況を確認し、著作権情報除去装置３０によって、コンテンツに埋め込まれた可視電子透かしを除去することで権利取得コンテンツを生成する。
この著作権情報管理システム４０を通して生成された権利取得コンテンツを、放送等の番組制作に使用することで、著作権の処理漏れを防ぐことができる。
【００７８】
【発明の効果】
以上説明したとおり、本発明に係る著作権情報埋め込み装置及びそのプログラムでは、以下に示す優れた効果を奏する。
【００７９】
請求項１または請求項２に記載の発明によれば、著作権情報埋め込み装置またはそのプログラムは、著作権情報データベースで管理された著作権情報に基づいて、コンテンツに著作権情報を埋め込むため、本発明に係る著作権情報埋め込み装置またはそのプログラムで生成された著作権情報埋め込みコンテンツは、そのコンテンツを使用する権利を取得しているかどうかを、可視電子透かしによって視覚的に判断することができ、放送等の番組に誤って権利未取得のコンテンツを使用する危険性がなくなるという効果がある。
【図面の簡単な説明】
【図１】本発明における第一の実施の形態である著作権情報埋め込み装置の全体構成を示すブロック図である。
【図２】本発明における第二の実施の形態である著作権情報表示装置の全体構成を示すブロック図である。
【図３】本発明における第三の実施の形態である著作権情報除去装置の全体構成を示すブロック図である。
【図４】本発明における第四の実施の形態である著作権情報管理システムの全体構成を示すブロック図である。
【図５】本発明における第一の実施の形態である著作権情報埋め込み装置の動作を説明したフローチャートである。
【図６】本発明における第二の実施の形態である著作権情報表示装置の動作を説明したフローチャートである。
【図７】本発明における第三の実施の形態である著作権情報除去装置の動作を説明したフローチャートである。
【図８】著作権情報データベースの内容の一例を示した説明図である。
【図９】不可視電子透かし及び可視電子透かしを視覚的に説明するための説明図である。
【符号の説明】
１……著作権情報データベース
１０……著作権情報埋め込み装置
１１……著作権情報生成手段
１２……電子透かし埋め込み手段
１２ａ……不可視電子透かし埋め込み部
１２ｂ……可視電子透かし埋め込み部
２０……著作権情報表示装置
２１……不可視電子透かし検出手段
２２……権利内容検出手段
２３……権利内容出力手段
２４……入出力切り替え手段
３０……著作権情報除去装置
３１……可視電子透かし検出手段
３２……権利情報制御手段
３３……未処理権利内容出力手段
３４……除去切り替え手段
３５……可視電子透かし除去手段
４０……著作権情報管理システム
【図１】
0003755816.tif 000002
【図２】
0003755816.tif 000003
【図３】
0003755816.tif 000004
【図４】
0003755816.tif 000005
【図５】
0003755816.tif 000006
【図６】
0003755816.tif 000007
【図７】
0003755816.tif 000008
【図８】
0003755816.tif 000009
【図９】
0003755816.tif 000010